(57)【要約】      （修正有）【課題】家具本体に対して安全に移動でき、また、意図しないときに遊動することのないスライドテーブルを備えたテーブル装置を提供する。【解決手段】家具本体２とスライドテーブル３とからなり、スライドテーブル３の天板４は後端に取付けプレート６を後方に突出させており、この後方突出部２４を、家具本体２の前面に設けたガイド溝に装着する。そして、後方突出部２４とガイド溝の溝壁との間に遊動防止バネ２０を配置し、その弾力による溝壁との摩擦力によって、スライドテーブル３が意図しないときに移動してしまうのを防止する。【選択図】図４
0003199701.tif 000002
【実用新案登録請求の範囲】
【請求項１】
家具本体とスライドテーブルを備え、
スライドテーブルは、天板と脚と取付けプレートを備え、
前記天板は、家具本体から前方へ張り出し、前端部が、床に到達する脚で支持されると共に、後端部が取付けプレートによって家具本体へ左右方向の移動が可能に支持されており、
前記取付けプレートと家具本体間に遊動防止バネを配置し、前記バネの弾力によって生じる前記取付けプレートと家具本体間の摩擦力によって、意図しないときに天板が移動するのを阻止する構造としてあることを特徴としたテーブル装置。
【請求項２】
スライドテーブルの前記取付けプレートは、スライドテーブルの前記天板の後端から後方へ突出する後方突出部分を有し、
家具本体は前面に前記後方突出部分を呑み込み、かつ、その左右方向移動を案内するガイド溝を有し、
前記ガイド溝に前記後方突出部分を装着し、ガイド溝の溝壁と前記取付けプレートとの間に前記遊動防止バネを配置してあることを特徴とした請求項１に記載のテーブル装置。
【請求項３】
前記ガイド溝は家具本体の前面に設けた上中棚板と下中棚板との間に形成されていることを特徴とした請求項２に記載のテーブル装置
【請求項４】
スライドテーブルの天板は、その上面が前記上中棚板の上面と面一に配置されることを特徴とした請求項３に記載のテーブル装置。
【請求項５】
前記遊動防止バネは前記後方突出部分の上面又は下面に配置されており、前記ガイド溝の上溝壁又は下溝壁に前記遊動防止バネのバネ移動溝が形成されており、スライドテーブルの前記天板の左右方向移動を許容すると共に、前後方向への抜け止め構造となっていることを特徴とした請求項２又は４のいずれか一つに記載のテーブル装置。
【請求項６】
前記遊動防止バネは、平面視において後方へ凸又は前方へ凸となる弧形の板バネであって、前記取付けプレートの後端部における後方突出部の上面又は下面の左右に一対がそれぞれ一端を取付けプレートに固定して取り付けられ、弾力による圧接方向を前記バネ移動溝の前溝壁又は後溝壁としてあることを特徴とした請求項５に記載のテーブル装置。
【考案の詳細な説明】
【技術分野】
【０００１】
本考案は、対面式キッチンやアイランドキッチンにおける家具あるいは書斎の間仕切り家具など、定置式家具の家具本体にスライドテーブルを前記家具本体の、例えば前面に沿って移動可能に取り付けたテーブル装置に関する。
【背景技術】
【０００２】
キッチンとダイニングルームが一体となった居住空間を例にとると、間仕切りカウンターや対面式の流し台に天板をダイニングエリアへ向けて張出させて取り付けることがある。また、使い勝手をよくするためにさまざまな工夫がなされている。
特許文献１のテーブル装置では、テーブル板（天板）７を２枚に分割し、それぞれの基部をカウンター１に回動可能に取付け、分割された天板を、カウンター１の前面に沿った直線状のカウンターとしたり、分割された天板の一方を前方に張出させてＬ字形テーブルとしたり、あるいは分割された天板の両方を共にカウンター１に対してダイニング側へ張出させたいわゆるダイニングテーブルとしたりできる天板の設置形態の変更が可能なテーブル装置を提供している。
【０００３】
特許文献２の対面式流し台は、本体１の後部（ダイニング側）にカウンター板を上方へ間隔をとって配置することにより収納部５を設けたカウンター４を備え、そのカウンター（板）が前後方向へスライド可能とされている。これにより収納部への収納作業を容易にすると共に、調理品を載せたカウンター板を移動させて配膳を容易にし、また、後片付けを容易にしている。さらに、流し台の前面にダイニングテーブル２を前方（ダイニング側）へ張出させて設けている。
特許文献３のダイニングテーブルは、台所１と食堂２との間の壁に開口部４を形成し、この開口部４にテーブル天板５１を台所方向にも食堂方向にも移動可能に設けている。
【０００４】
引用文献４のＬＤ間仕切り家具・テーブルは、リビングとダイニング間の間仕切り家具２０と、テーブル１０とを組み合わせ、間仕切り家具２０における下部収納２２の天板と中板間に空隙を設け、この空隙に挿し込んだテーブル天板を間仕切り家具の幅方向及び奥行方向へ移動させ、また、係止自在に構成している。
このテーブルは間仕切り家具の幅方向に移動させることができるが、移動中に中板とテーブルの隙間に指を挟む心配があり、移動後にテーブルを固定させるための操作も必要であった。
【先行技術文献】
【特許文献】
【０００５】
【特許文献１】実用新案登録第３０４４２５５号公報
【特許文献２】特開２００１−３２７３４４号公報
【特許文献３】特開平７−２５０７１２号公報
【特許文献４】特開平１１−３３２６７２号公報
【考案の概要】
【考案が解決しようとする課題】
【０００６】
特許文献１のテーブル装置は、テーブルの形態を変更できるものの、テーブルの位置を変えることはできず、分割したテーブル板を移動する度に係止手段を操作して固定しなければならない。
特許文献２の対面式流し台は、収納や配膳に利用されるカウンター４のカウンター（板）が前後方向へスライド可能とされているものの、対面式流し台の前面に取付けたダイニングテーブル２は前記流し台に対して移動可能に取り付けられていない。このため前方へ張出したダイニングテーブルは常に同じ位置にあるため邪魔になることがある。
特許文献３のダイニングテーブルは、台所１と食堂２とをダイニングテーブルで連絡するという点で、調理品や食器を持ち運びする必要が無く便利であるが、台所１側、食堂２側にそれぞれ大きな空間を必要とする。また、ダイニングテーブル５は、左右方向へは移動できず、邪魔になることがある。
【０００７】
特許文献４のＬＤ間仕切り家具・テーブルは、間仕切り家具２０に対してテーブル１０を前後・左右へ移動できる。しかし、その移動を調整する手段について格別な開示はなく、テーブル１０を移動させるとき、下部収納２２の天板と中板間でこじりが生じたり、ガタついたりして移動操作を滑らかに行えなえない上、力を入れて押したりするといきなり端まで移動して大きな音を立てたり指を挟む事故がおきたりする。また、テーブル１０を前後移動させるとき、天板上に食器等が残っていると不注意でこれらを浚ってしまうことがある。
以上から、この発明は、家具本体に対して安全にかつ滑らかに移動でき、また、意図しないときに遊動することのないスライドテーブルを備えたテーブル装置の提供を課題とする。
【課題を解決するための手段】
【０００８】
家具本体とスライドテーブルを備えてテーブル装置とし、
前記スライドテーブルは、天板と脚と取付けプレートを備えたものとする。
前記天板は、家具本体から前方へ張り出し、前端部が、床に到達する脚で支持され、後端部が取付けプレートによって家具本体へ左右方向の移動が可能に支持される。
前記取付けプレートと家具本体間に遊動防止バネを配置してテーブルの移動を滑らかにすると共に、前記バネの弾力によって生じる前記取付けプレートと家具本体間の摩擦力によって、意図しないときに天板が移動するのを阻止する。
【考案の効果】
【０００９】
本考案によれば、家具の配置や家族構成の変化に応じて、家具本体から前方へ張出させたスライドテーブルを家具本体の左右（幅方向）に移動させて使いやすい位置に設置することができる。
スライドテーブルにおける天板の後端部に取付けプレートを取り付け、この取付けプレートの前記天板の後端部から後方へ突出した後方突出部分を家具本体の前面に設けたガイド溝に装着してあるので、家具本体に対するスライドテーブルの取付強度が高い。
家具本体に対するスライドテーブルの可動部分（取付けプレートの後方突出部分）は前記ガイド溝に呑み込まれ、表面に現れないので、スライドテーブルの外観が損なわれない。
【００１０】
スライドテーブルの移動では、家具本体前面とスライドテーブルの天板との間に最小限の間隙があればよいので、移動中に指を挟む等のことが無い。
さらに、スライドテーブルの移動では、遊動防止バネがバネ移動溝の溝壁などに接して移動させることができるので、スライドテーブルの移動にこじりやガタつきがなく、なめらかに移動させることができる。
そして、遊動防止バネの弾力による摩擦力で家具本体とスライドテーブルの意図しない移動（遊動）が防止されるので、移動操作の場合にスライドテーブルが急速に移動されることが無い。また、移動後は格別な操作なしにその位置が維持されるのでスライドテーブルの移動操作と位置決めを簡単にかつ安全に行うことができる。
【図面の簡単な説明】
【００１１】
【図１】テーブル装置の斜視図。
【図２】テーブル装置の要部平面図。
【図３】テーブル装置の側面図。
【図４】テーブル装置の要部を分解して示す斜視図。
【図５】カウンターと取付けプレートとの要部を示した平面図。
【図６】カウンターと取付けプレートとの要部を示した断面図。
【図７】取付けプレートの平面図。
【考案を実施するための形態】
【００１２】
図１は、いわゆるアイランドキッチンの例であり、本発明のテーブル装置１は、家具本体２とスライドテーブル３とで構成されている。
〔家具本体〕
家具本体２は、概略で右壁部７、左壁部８及び正面壁部９で構成され、正面壁部９の後方であって、左壁部８、右壁部７の間には図示していないが流し台、調理台、収納部などが形成されている。
正面壁部９は、右端部分がガラス戸を備えた収納部１０に構成されると共に、中央から左側にかけての正面部分は上棚板１1と中棚板１２及び下段の下部収納部１３とで構成されている。
上棚板１１は前記右壁部７と左壁部８及び前記収納部１０の頂面にわたる面一部分を構成している。
中棚板１２は、正面壁部９においてカウンターを構成する部分であり、前記収納部１０の左側面と前記左壁部８の間に固定されている。中棚板１２は、上中棚板１２ａと下中棚板１２ｂとが重ねられている。
【００１３】
上中棚板１２ａ（図４）は下面にバネ移動溝１４（後述）が左右方向に貫通して形成されている。また、下中棚板１２ｂは前部上面が段差をもって低く形成され、左右方向に連続した低段部１５とされている。
前記低段部１５の後端、すなわち、段部の立ち上がり壁１６の位置と前記上中棚板１２ａにおけるバネ移動溝１４の後溝壁１７ｂとは前後方向で同じ位置にある。
したがって、上中棚板１２ａと下中棚板１２ｂを重ねると中棚板１２の前面に左右方向に貫通したスリット状のガイド溝１８が形成される（図１）。すなわち、ガイド溝１８の上溝壁又は下溝壁に前記遊動防止バネ２０のバネ移動溝１４が形成されている。
ガイド溝１８の上下間隔は前記取付けプレート６の厚さ寸法からわずかに大きい程度である。また、このガイド溝１８の後部には前記のバネ移動溝１４が存在することとなる。
図１において、符号２５は側部棚板であり、前記中棚板１２と上面を面一にして左壁部８へ取り付けられる。側部棚板２５が取り付けられると、前記中棚板１２の左側面は閉鎖される（後述）。
【００１４】
〔スライドテーブル〕
前記スライドテーブル３は、天板４と脚５と取付けプレート６を備える（図２，３）。
前記天板４は、厚さ約４０ｍｍの少なくとも表面が化粧された合板であって、家具本体２から前方へ張り出し、前端部が、床に到達する脚５で支持され、後端部は取付けプレート６によって家具本体２へ左右方向の移動が可能に支持されている。
【００１５】
前記取付けプレート６（図２，４）は、この実施例において、厚さ約４．５ｍｍの鋼板であって、前後寸法２００ｍｍ、左右方向寸法８００ｍｍである（天板４の大きさによって異なる）。なお角部は、怪我防止のために面取りや角取りして丸めてある。
取付けプレート６には前記天板４に対する固定用孔１９が（図では８個）形成されている。また、取付けプレート６の後部上面であって、その左右両側に遊動防止バネ２０，２０が対称配置で取り付けられている（図４）
【００１６】
前記遊動防止バネ２０は、前記後方突出部分２４の上面又は下面に配置されており（図では上面）、平面視において後方へ凸又は前方へ凸となる弧形の板バネである（図では前方へ凸）。これらは、前記後方突出部分２４の上面に溶接等により固定されたバネ取付け部材２１に一端を固定して取付けられ、他端は、前記同様取付けプレート６の上面に溶接等により固定されたバネ受け部材２２の前方へ間隔をとって配置されている。遊動防止バネ２０の他端は、通常は前記バネ受け部材２２から離間して位置している。つまり、前記遊動防止バネ２０は、その弾力による圧接方向を前記バネ移動溝１４の前溝壁１７ａ又は後溝壁１７ｂとしてある
【００１７】
〔組立〕
前記天板４の後端部下面に前記取付けプレート６を当て付け、前記固定用孔１９を利用してネジ２３で取付けプレート６を天板４に固定する。この時、取付けプレート６の後端部は、後方突出部２４として、天板４の後端から前記中棚板１２の前面に形成されているガイド溝１８の深さと略同じかわずかに大きな程度に突出させておく。
側部棚板２５が取り付けられる前に、中棚板１２の側面から、取付けプレート６の前記後方突出部２４をガイド溝１８に、遊動防止バネ２０はバネ移動溝１４に、それぞれ合わせて、嵌め込む（図６）。そして、その状態を維持して天板４を家具本体２の中央部分へスライド移動させ、脚５を床に支持させることでスライドテーブル３を家具本体２へ装着することができる。
脚５は折り畳み可能としておくこともできる。家具本体２における中棚板１２の上面とスライドテーブル３における天板４の上面とは、取付けプレート６の後方突出部２４が中棚板１２のガイド溝１８によって上下方向の位置決めがなされることにより、面一となる。
【００１８】
次いで、側部棚板２５を取り付けて、中棚板１２の左端面に露出しているバネ移動溝１４とガイド溝１８の端面開口部を閉鎖する。側部棚板２５の取付け構造は家具本体２の左壁部８に設けた溝との嵌合と接着、あるいは補助金具を用いたビス止め、ボルト止め等が考えられる。いずれにしても、側部棚板２５を取り付けることによって、ガイド溝１８とバネ移動溝１４の開口面が閉鎖されて遊動防止バネ２０の脱出が防がれると共に、家具本体２の側部が化粧される。また、取付けプレート６の後方突出部２４は中棚板１２のガイド溝１８に呑み込まれ、外部から目立たない。
【００１９】
この取付け構造は、前記天板４の左右方向移動を許容すると共に、前記後方突出部２４の上面から上方へ突出した遊動防止バネ２０とバネ取付け部材２１などがバネ移動溝１４と係合して、天板４の前後方向移動を阻止しており、遊動防止バネ２０とバネ移動溝１４の係合が天板４の前後方向抜け止め構造となっている。
そして、スライドテーブル３の天板４の側面に力を加えて押すと、その力が遊動防止バネ２０と前溝壁１７ａとの摩擦力に勝ったときスライドテーブル３が家具本体２の前面を左右方向に移動する。
【００２０】
遊動防止バネ２０は、バネ移動溝１４の前溝壁１７ａに常時接するので、天板４を急速に移動させることはできず、天板４の移動はゆっくりと安全なものになる。また、天板４に軽くもたれ掛かる等のことがあっても天板４は移動しない。
すなわち、前記取付けプレート６と家具本体２間に遊動防止バネ２０を配置し、遊動防止バネ２０の弾力によって生じる前記取付けプレート６と家具本体２間の摩擦力によって、意図しないときに天板４が移動するのが阻止される。
遊動防止バネ２０の弾力によって、天板４が移動中のガタつきや停止状態（セット状態）でのガタつきがない。また、天板４を移動させる量、停止させる位置は任意であって、所定の位置などに制限されない。
さらに、遊動防止バネ２０の弾力により天板４の後端面は常時、前記中棚板１２の前面に向けて引き寄せられた状態になり、これら間の間隙は僅かな（２ｍｍ程度）であるので、天板４の移動に充分であるが、指を挟むなどの事故は生じない。
【００２１】
本考案の具体的な構造は、上記実施例に限定されない。
中棚板１２の前面にガイド溝１８を設けたが、これに限らず、ガイド溝１８は家具本体２の前面であればよい。
遊動防止バネ２０は中棚板１２のばね移動溝１４側に配置することもある。
遊動防止のために弾力を付与するバネの形態は、板バネに限定されない。
テーブル装置１は、ダイニングキッチンばかりでなく、書斎等に設置することもできる。この場合、家具本体２は書棚等であり、スライドテーブル３の寸法も書類や本を載せるのに適した大きさに変更する。
また、スライドテーブル３及び天板４の寸法に応じて遊動防止バネの数も変更される。
【符号の説明】
【００２２】
１    テーブル装置
２    家具本体
３    スライドテーブル
４    天板
５    脚
６    取付けプレート
７    右壁部
８    左壁部
９    正面壁部
１０  収納部
１１  上棚板
１２  中棚板
１２ａ  上中棚板
１２ｂ  下中棚板
１３  下部収納部
１４  バネ移動溝
１５  低段部
１６  立上り壁
１７  溝壁
１７ａ  前溝壁
１７ｂ  後溝壁
１８  ガイド溝
１９  固定用孔
２０  遊動防止バネ
２１  バネ取付け部材
２２  バネ受け部材
２３  ネジ
２４  後方突出部
２５  側部棚板
【図１】
0003199701.tif 000003
【図２】
0003199701.tif 000004
【図３】
0003199701.tif 000005
【図４】
0003199701.tif 000006
【図５】
0003199701.tif 000007
【図６】
0003199701.tif 000008
【図７】
0003199701.tif 000009